(57)【要約】【課題】隣接して配置されるコンタクト間のインピーダンス不整合を抑制する基板接続用のコネクタを提供する。【解決手段】プリント基板に固定され、該固定ハウジングを貫通する開口部が形成される固定ハウジング、固定ハウジングの開口部内に配置され、固定ハウジングに対して浮動可能に設けられている浮動ハウジング、固定ハウジングと浮動ハウジングとの間に架設され、列状に配列される複数のコンタクトを備え、コンタクトは、接続対象物と電気的に接続される接点部、プリント基板に固定される端子部、固定ハウジングと浮動ハウジングとの間に形成される空間内に配置される変形部を有し、コンタクトの変形部は、第１ばね部、第２ばね部、および反転部を含み、反転部に保持され、反転部および隣接する反転部との間を隔てる隔壁部材をさらに備えている。【選択図】図３
2013045739.tif 000002
【特許請求の範囲】
【請求項１】
プリント基板に対して固定される固定ハウジングであって、該固定ハウジングを貫通する開口部が形成される固定ハウジングと、
前記固定ハウジングの前記開口部内に配置され、前記固定ハウジングに対して浮動可能に設けられている浮動ハウジングと、
前記固定ハウジングと前記浮動ハウジングとの間に架設されるとともに、列状に配列される複数のコンタクトと、
を備え、
前記複数のコンタクトそれぞれは、前記浮動ハウジングに配置され、接続対象物と電気的に接続される接点部、前記固定ハウジングに配置され、前記プリント基板に固定される端子部、および前記接点部と前記端子部との間に設けられ、前記固定ハウジングの前記開口部と前記浮動ハウジングとの間に形成される空間内に配置される変形部を有し、
前記コンタクトの前記変形部は、第１ばね部、第２ばね部、および前記第１ばね部と前記第２ばね部とを連結する反転部を含み、
前記反転部に保持され、前記反転部および隣接する反転部との間を隔てる隔壁部材をさらに備えていることを特徴とする基板接続用のコネクタ。
【請求項２】
前記隔壁部材は、前記列状に配置される複数のコンタクトに対し、１つおきに保持されていることを特徴とする請求項１に記載の基板接続用のコネクタ。
【請求項３】
前記隔壁部材は、前記列状に配置される複数のコンタクトに対し、１つ保持されていることを特徴とする請求項１に記載の基板接続用のコネクタ。
【請求項４】
前記隔壁部材は、隣接するコンタクトそれぞれの前記反転部間に配置される隔壁部および前記反転部に保持される保持部を含んでいることを特徴とする請求項１から３のいずれか１つに記載の基板接続用のコネクタ。
【請求項５】
前記隔壁部は、前記第１ばね部と前記第２ばね部の一部を覆うよう下方に向かってン色狩り突出していることを特徴とする請求項４に記載の基板接続用のコネクタ。
【請求項６】
前記コンタクトは、前記端子部と前記第１ばね部とを連結する第１連結部、前記接点部と前記第２ばね部とを連結する第２連結部を含み、
前記第１連結部および前記第２連結部は、それぞれ、前記固定ハウジングおよび前記浮動ハウジングに埋め込まれていることを特徴とする請求項１に記載の基板接続用のコネクタ。
【発明の詳細な説明】
【技術分野】
【０００１】
本発明は、プリント基板の間を電気的に接続する基板接続用コネクタに関し、特に、基板接続用コネクタを構成する基板接続用のソケットタイプのコネクタに関する。
【背景技術】
【０００２】
従来、特許文献１および２などに開示されるように、プリント配線板やプリント回路板などのプリント基板に取り付けられ、該プリント基板間を電気的に接続するために用いられる基板接続用のコネクタ（「基板対基板コネクタ」とも言う。）が知られている。
【０００３】
特許文献１に開示されるコネクタは、第１のプリント配線板に取り付けられたプラグタイプの雄型コネクタと、第２のプリント配線板に取り付けられたソケットタイプの雌型コネクタ路を備えている。雄型コネクタおよび雌型コネクタには、それぞれ、対応する複数のコンタクトが設けられている。雄型コネクタが雌型コネクタに組み付けられることで、第１および第２のプリント配線板が電気的に接続される。
【０００４】
特許文献２に開示されるコネクタは、特許文献１に開示されるようにプラグタイプの雄型コネクタをソケットタイプの雌型コネクタに組み付けるに際し、組み付け位置の誤差を吸収するために、雌型コネクタがフローティング構造を備えている。具体的には、雌型コネクタに設けられる複数のコンタクトそれぞれは、プリント配線板に接続される接続部、雄型コンタクトに接触する接触部、接続部と接触部との間に配置され前後方向および幅方向に弾性変形可能な屈曲部を備えている。また、雌型コネクタの複数のコンタクトは、それぞれ互いに平行に配置されている。雌型コネクタは固定ハウジングと可動ハウジングを備える。雌型コネクタの複数のコンタクトそれぞれは、接続部側を固定ハウジングに固定され、屈曲部を介して、接触部側で可動ハウジングを支持している。したがって、雌型コネクタの可動ハウジングは、前後方向および幅方向に移動可能に構成される。例えば、雄型コネクタを雌型コネクタに嵌合する時、コンタクトの配置位置や寸法のばらつきにより、雄型コネクタと雌型コネクタとの間の組み付け位置の誤差を生じる。雌型コネクタに可動ハウジングを設けることにより、このような誤差を吸収し、雄型コネクタおよび雌型コネクタそれぞれのコンタクトの接続を確実にすることができる。
【先行技術文献】
【特許文献】
【０００５】
【特許文献１】特開２００４−０５５３０６号公報
【特許文献２】特開２００８−１０８５６０号公報
【発明の概要】
【発明が解決しようとする課題】
【０００６】
特許文献２に開示されるコネクタにおいては、上述したように、雌型コネクタに前後方向および幅方向に弾性変形可能な屈曲部を有するコンタクトが複数互いに平行に配列されている。しかしながら、前後方向および幅方向に弾性変形可能とするため、雌型コネクタに配列される複数のコンタクトの間には、単に空間が存在するだけで、仕切り部材のような部材が設けられていない。したがって、隣接するコンタクトの屈曲部間には、空気層が存在するだけであり、言い換えれば、複数のコンタクトの屈曲部は、空気層に対して露出している状態にある。
【０００７】
このように、コンタクトの屈曲部が空気層に対して露出していることで、コンタクトに信号が伝送されると、屈曲部近傍においてインピーダンス不整合が生じる原因となる。
【０００８】
本発明の目的は、取り付け位置の誤差を吸収するフローティング構造を有し、フローティング機能を維持するとともに、隣接して配置されるコンタクト間のインピーダンス不整合を抑制する基板接続用のコネクタを提供することにある。
【課題を解決するための手段】
【０００９】
上記目的を達成するために、本発明に係る基板接続用のコネクタは、プリント基板に対して固定される固定ハウジングであって、該固定ハウジングを貫通する開口部が形成される固定ハウジングと、該固定ハウジングの開口部内に配置され、固定ハウジングに対して浮動可能に設けられている浮動ハウジングと、固定ハウジングと浮動ハウジングとの間に架設されるとともに、列状に配列される複数のコンタクトと、を備え、複数のコンタクトそれぞれは、浮動ハウジングに配置され、接続対象物と電気的に接続される接点部、固定ハウジングに配置され、プリント基板に固定される端子部、および接点部と端子部との間に設けられ、固定ハウジングの開口部と浮動ハウジングとの間に形成される空間内に配置される変形部を有し、コンタクトの変形部は、第１ばね部、第２ばね部、および第１ばね部と第２ばね部とを連結する反転部を含み、反転部に保持され、反転部および隣接する反転部との間を隔てる隔壁部材をさらに備えていることを特徴とする。
【００１０】
本発明に係る基板接続用のコネクタの隔壁部材は、列状に配置される複数のコンタクトに対し、１つおきに保持されていてもよいし、列状に配置される複数のコンタクトに対し、１つ保持されていてもよい。
【００１１】
また、本発明に係る基板接続用のコネクタの隔壁部材は、隣接するコンタクトそれぞれの反転部間に配置される隔壁部および反転部に保持される保持部を含んでいてもよいし、第１ばね部と第２ばね部の一部を覆うよう下方に向かって広がり突出している隔壁部をさらに含んでいてもよい。
【００１２】
さらに、本発明に係る基板接続用のコネクタのコンタクトは、端子部と第１ばね部とを連結する第１連結部、接点部と第２ばね部とを連結する第２連結部を含み、第１連結部および第２連結部は、それぞれ、固定ハウジングおよび浮動ハウジングに埋め込まれていることが好ましい。
【発明の効果】
【００１３】
本発明は、上述のように構成されることで、取り付け位置の誤差を吸収するというフローティング機能を維持しつつ、隣接するコンタクト間のインピーダンス不整合を生じさせるという不都合を解消することができる。本発明は、また、構造が簡単であり、製造も容易である。
【図面の簡単な説明】
【００１４】
【図１】本発明に係る基板接続用のコネクタを構成するソケットタイプの第１コネクタの斜視図である。
【図２】本発明に係る基板接続用のコネクタを構成するプラグタイプの第２コネクタの斜視図である。
【図３】図２に示される第１コネクタを図１に示される第２コネクタに嵌め込んだ状態にある基板接続用のコネクタの要部断面斜視図である。
【図４】図１に示される第１コネクタのシェル部材を取り外した状態の部分拡大上面図である。
【図５】図４に示される第１コネクタのＶ−Ｖ線に沿う断面図である。
【図６】図１に示される第１コネクタに用いられる隔壁部材を示し、（ａ）は、第１の実施例の斜視図であり、（ｂ）は、第２の実施例の斜視図である。
【発明を実施するための形態】
【００１５】
以下、図１〜６を用いて、本発明に係る基板接続用のコネクタの好ましい実施形態について詳細に説明する。
【００１６】
なお、本明細書の説明において、用語「左」及び「右」は、図３に示される座標において、それぞれ、＋ｘ方向及び−ｘ方向を指し、用語「前」及び「後」は、それぞれ、図３に示される＋ｙ方向及び−ｙ方向を指し、用語「上」及び「下」は、それぞれ、図３に示される＋ｚ方向及び−ｚ方向を指すものとする。
【００１７】
本発明に係る基板接続用コネクタは、概略、雌型コネクタとしてのソケットタイプの第１コネクタ１０（図１参照）と、該第１コネクタ１０内に嵌め込まれる雄型コネクタとしてのプラグタイプの第２コネクタ４０（図２参照）とから構成される。第１および第２コネクタ１０および４０は、相対向するとともに互いに対して略平行に配置される第１および第２プリント基板（不図示）にそれぞれ実装されている。
【００１８】
第１コネクタ１０は、図１および３〜５に示されるように、概略、固定ハウジング１１、浮動ハウジング２１、複数の第１コンタクト３０、シェル部材２９および隔壁部材６０を含んでいる。
【００１９】
固定ハウジング１１は、例えば、９Ｔナイロン、液晶ポリマー（ＬＣＰ）、ポリエーテルサルフォン（ＰＥＳ）、ポリブチレンテレフタレート（ＰＢＴ）、ポリフェニレンサルファイド（ＰＰＳ）などの電気絶縁性の合成樹脂材料から形成される。固定ハウジング１１は、概略長方体形状を有しており、上下方向に貫通する水平断面矩形状の開口部１８が形成されている。開口部１８内の中央部分には、後述する浮動ハウジング２１が配置される。開口部１８は、互いに直交している、前壁１２、後壁１３、左壁１４および右壁１５の４つの側壁により取り囲まれている。  
【００２０】
浮動ハウジング２１は、固定ハウジング１１と同様の電気絶縁性の合成樹脂材料から形成される。浮動ハウジング２１は、第１コネクタ１０の接続対象物である第２コネクタ４０の挿入部４３が挿入される（または、嵌め込まれる）水平断面矩形状の挿入孔２７が形成される。該挿入孔２７は、互いに直交している底壁２２と４つの側壁、すなわち、前壁２３、後壁２４、左壁２５および右壁２６とにより取り囲まれ、上方に向かって開放されている。
【００２１】
浮動ハウジング２１は、固定ハウジング１１の開口部１８内に配置され、固定ハウジング１１に対し浮動可能に形成されている。浮動ハウジング２１は、固定ハウジング１１と略同じ高さを有する水平断面矩形状の概略直方体形状を成していることが好ましい。浮動ハウジング２１は、図３に示されるように、複数の第１コンタクト３０を介して固定ハウジング１１に対して浮動可能に支持される。このとき、固定ハウジング１１の開口部１８を取り囲む４つの側壁１２、１３、１４、１５の内側壁面とこれらの内側壁面それぞれに対向する浮動ハウジング２１の４つの側壁２３、２４、２５、２６の外側壁面との間には、可動空間が形成される。該可動空間、特に、固定ハウジング１１の左壁１４と浮動ハウジング２１の左壁２５との間の可動空間２０ａおよび固定ハウジング１１の右壁１５と浮動ハウジング２１の右壁２６との間の可動空間２０ｂには、後述する第１コンタクト３０の変形部が配置される。
【００２２】
第１コンタクト３０は、ベリリウム銅またはリン青銅合金材料のような導電性の金属板から成形される。第１コンタクト３０は、図３に示されるように、固定ハウジング１１の左壁１４と浮動ハウジング２１の左壁２５との間、および固定ハウジング１１の右壁１５と浮動ハウジング２１の右壁２６との間にそれぞれ架設される。複数の第１コンタクト３０は、固定ハウジング１１の左壁１４または右壁１５に沿って、列状に配列される。具体的には、複数の第１コンタクト３０は、該左壁１４または右壁１５に対して直交し、且つ、互いに平行に２列をなして配列される。
【００２３】
第１コンタクト３０は、端子部３１、第１連結部３２、第１ばね部３３、湾曲反転部３４、第２ばね部３５、第２連結部３６および接点部３７を備えている。
【００２４】
第１コンタクト３０の端子部３１は、第１プリント基板の外部接点と接触する部材である。該端子部３１は、固定ハウジング１１の左壁１４または右壁１５の下部から外側に向かって突出するように略水平に配置され、半田付けなどのろう付けによって、第１プリント基板に固定される。第１連結部３２は、端子部３１と第１ばね部３３とを連結する直線状の部材であり、固定ハウジング１１の左壁１４または右壁１５にインサート成形により概略水平に保持される。直線状の第１ばね部３３、円弧状の湾曲反転部３４および直線状の第２ばね部３５は、第１コンタクト３０の変形部を構成する部材であり、可動空間２０ａまたは２０ｂ内に配置される。本実施形態では、第１コンタクト３０の変形部は、湾曲反転部３４を頂点とする概略逆Ｖ字形状を成している。第２連結部３６は、第２ばね部３５と接点部３７とを連結する直線状の部材であり、浮動ハウジング２１の左壁２５または右壁２６にインサート成形により概略水平に保持される。接点部３７は、第１コネクタ１０の接続対象物としての第２コネクタ４０の第２コンタクト５０の接点部５４と接触する部材であり、図３に示されるように、第２連結部３６と略直角をなすように、上方に向かって折り曲げられて形成されている。接点部３７は、本実施形態では、その接触面が浮動ハウジング２１の左壁２５または右壁２６の内側表面と面一であって、内側に向かって露出するように、インサート成形により埋め込まれている。
【００２５】
上述したように、第１連結部３２および第２連結部３５は、それぞれ、固定ハウジング１１の左壁１４または右壁１５および浮動ハウジング２１の左壁２５または右壁２６にインサート成形により埋め込まれ、各壁１４、１５、２５または２６に固定される。したがって、本実施形態においては、圧入によるコンタクトの固定と比較し、固定ハウジング１１および浮動ハウジング２１と第１連結部３２および第２連結部３５それぞれとの間に存在する空気層を減らすことができる。それによりインピーダンス不整合を抑制させることができる。
【００２６】
本実施形態では、複数の第１コンタクト３０は、左右対称に前後方向２列に配置されているとともに、複数の第１コンタクト３０それぞれの変形部（第１ばね部３３、湾曲反転部３４および第２ばね部３５）が可動空間２０ａまたは２０ｂ内に配置されている。すなわち、複数の第１コンタクト３０それぞれの変形部は、固定ハウジング１１と浮動ハウジング２１の間の左右に前後方向に延在している可動空間２０ａおよび２０ｂ内で前後方向および左右方向に弾性変形可能になっている。それにより、浮動ハウジング２１は、固定ハウジング１１に対して浮動可能に支持され、よって、接続対象物としての相手方コネクタである第２コネクタ４０の取り付け位置の誤差を吸収することができる。
【００２７】
なお、複数の第１コンタクト３０は、それぞれ、図４に示されるように、互いに平行に配置され、固定ハウジング１１の左壁１４または右壁１５および浮動ハウジング２１の左壁２５または右壁２６に対して直角をなして配置されている。
【００２８】
シェル部材２９は、金属板から形成され、固定ハウジング１１の左右の側壁１４、１５の外側側面と上面および可動空間２０ａ、２０ｂの上面を覆うように、概略逆Ｕ字形状に折り曲げて形成されている。シェル部材２９は、さらに、固定ハウジングの前後の側壁１２、１３の一部（第１コンタクト３０が配列されている領域に対応する部分）を覆うように形成されていてもよい。シェル部材２９の可動ハウジング２１の上面に対応する部分には、水平断面矩形状の開口部２９ａが形成されている。シェル部材２９の前端と後端には、下方に折り曲げられた４つの折曲部２９ｂが設けられ、固定ハウジング１１に形成される圧入溝内に圧入されることで、固定ハウジング１１に固定される。シェル部材２９の左右の下端には、適宜の数の端子部２９ｃ（本実施形態では４個所）が形成され、該端子部２９ｃは、半田付けなどのろう付けによって、第１プリント基板に電気的に接続されるとともに第１プリント基板に固定される。
【００２９】
第１コンタクト３０およびシェル部材２９が第１プリント基板にろう付けにより固定される構成により、固定ハウジング１１が第１プリント基板に対して固定されることが理解される。
【００３０】
このように金属製のシェル部材２９を設けることにより、第１コネクタ１０の上面および側面がシールドされることにより、電磁波による影響を少なくすることができる。
【００３１】
隔壁部材６０は、本発明の特徴部分を構成する部材である。隔壁部材６０は、固定ハウジング１１や、浮動ハウジング２１と同様に、９Ｔナイロン、液晶ポリマー（ＬＣＰ）、ポリエーテルサルフォン（ＰＥＳ）、ポリブチレンテレフタレート（ＰＢＴ）、ポリフェニレンサルファイド（ＰＰＳ）などの電気絶縁性の合成樹脂材料から形成される。
【００３２】
本実施形態における隔壁部材６０は、図６（ａ）に示されるように、第１コンタクト３０の湾曲反転部３４のバネ力により保持される垂直断面円形状の保持部６１と、該保持部６１の前端および後端に形成される垂直断面円形状の隔壁部６２、６３を備えている。保持部６１は湾曲反転部３４のバネ力に保持されることから、第１コンタクト３０の湾曲反転部３４の曲率半径は、保持部６１の半径より若干小さいことが好ましい。円形状の隔壁部６２および６３の大きさは、湾曲反転部３４を覆う大きさを有する。隔壁部材６０は、逆Ｖ字形をなしている第１コンタクト３０の変形部の下側から挿入され、保持部６１が湾曲反転部３４内に嵌め込まれることで、第１コンタクト３０（の湾曲反転部３４）に保持される。なお、湾曲反転部３４は、円弧状に限られることなく保持部６１の形状に合わせて該保持部６１を保持できる形状であればどのような形状であってもよい。
【００３３】
本実施形態における隔壁部材６０は、図４、５に示されるように、固定ハウジング１１の左壁１４および浮動ハウジングの左壁２５に沿って、互いに平行に配列される複数の第１コンタクト３０に対し、１つおきに配列される第１コンタクト３０に保持される。同様に、固定ハウジング１１の右壁１５および浮動ハウジングの右壁２６に沿って、互いに平行に配列される複数の第１コンタクト３０に対しても、隔壁部材６０が１つおきに保持される。隔壁部材６０が第１コンタクト３０にこのように保持されることで、複数の第１コンタクト３０の湾曲反転部３４の間に隔壁部材６０のいずれか一方の隔壁部６２または６３が必ず存在することになる。したがって、複数の第１コンタクト３０の隣接する湾曲反転部３４間には、空気層ではなく合成樹脂層により仕切られることになり、それにより、インピーダンス不整合が抑制され、安定した基板対基板の接続が可能となる。
【００３４】
本実施形態では、隔壁部材６０は、１つおきの第１コンタクト３０の湾曲反転部３４に配置されることで、第１コンタクト３０の第１ばね部３３および第２ばね部３５による左右および前後方向の弾性変形に合わせてともに移動することが可能である。したがって、隔壁部材６０は、第１コンタクト３０の第１ばね部３３および第２ばね部３５の弾性変形に対して干渉することがないので、フローティング構造による取り付け位置の誤差吸収量を減らすことがない。さらに、隔壁部材６０は、複数の第１コンタクト３０の１つおきに湾曲反転部３４に設けられることで、複数の第１コンタクト３０それぞれが独立して動くことが可能であり、より安定したフローティング構造が得られる。なお、隔壁部材６０の隔壁部６２および６３を絶縁ゴムによって形成しても良く、これにより、第１コンタクト３０の第１ばね部３３及び第２ばね部３５の弾性変形に対応し、隔壁部６２および６３も弾性変形するため、さらに安定したフローティング構造が得られる。
【００３５】
本実施形態では、隔壁部材６０は、垂直断面形状の保持部６１およびその両端に垂直断面円形状の隔壁部６２および６３を備える構成としているが、本発明は、これに限定されるものではない。例えば、上記実施形態における隔壁部材が複数連結した、例えば、固定ハウジング１１の左壁１４および浮動ハウジングの左壁２５に沿って配列する複数の第１コンタクト３０１列分の長さを持つ隔壁部材としてもよい。この場合、インピーダンス不整合を抑制できるとともに、隔壁部材が１つであるため、部品点数が少なく、製造組み立てが容易となる。
【００３６】
あるいは、図６（ｂ）に示されるように、隔壁部材７０は、その隔壁部７２、７３を下方に突出させてもよい。具体的には、隔壁部７２、７３は、第１コンタクト３０の変形部を構成する第１ばね部３３および第２ばね部３５の一部を覆うように、逆Ｖ字形をなす第１および第２ばね部３３、３５の配置に合わせて下方に向かって広がる扇形状のスカート部として形成されてもよい。隔壁部材７０の保持部７１の構造は、上記実施形態と同じである。この場合、インピーダンス不整合を上記実施形態よりさらに効果的に抑制することができる。
【００３７】
次に、本発明に係る基板接続用コネクタを構成する雄型コネクタとしての第２コネクタ４０について簡単に説明する。
【００３８】
第２コネクタ４０は、図２に示されるように、従来の雄型コネクタと概略同じ構造を有しており、概略、コネクタハウジング４１、複数の第２コンタクト５０および固定端子４９を備えている。なお、図２に示される第２コネクタ４０は、第１コネクタ１０に嵌め込まれる使用時の状態とは、上下逆に示されている。
【００３９】
コネクタハウジング４１は、上記第１コネクタ１０の固定ハウジング１１や浮動ハウジング２１と同様の電気絶縁性の合成樹脂から形成される。コネクタハウジング４１は、複数の第２コンタクト５０それぞれの圧入部（不図示）が圧入される圧入空間が形成されている底部４２、および該底部から下方に突出する挿入部４３を有している。挿入部４３には、底部４２に形成されている圧入空間に連通し、複数の第２コネクタ５０それぞれの連結部５３および接点部５４が収容されるスリット４４が、取り付けられる複数の第２コネクタ５０の数に対応して、仕切り壁４６を挟んで左右両側に形成される。
【００４０】
第２コンタクト５０は、第１コンタクトと同様の導電性金属板から形成され、概略Ｌ字形をなし、端子部５１、圧入部、ばね部５３、接点部５４を有している。端子部５１は、コネクタハウジング４１の底部４２の左右両側から外側に突出するように略水平に配置され、ろう付けにより、第２プリント基板に電気的に接続されとともに、それに固定される。直線状の圧入部は、端子部５１と直角をなして上方に向かって延在し、上述したように、コネクタハウジング４１の底部４２に形成されている圧入空間内に圧入され、それにより、第２コンタクト５０がコネクタハウジング４１に保持される。直線状のばね部５３は、圧入部と接点部５４との間を連結するとともに、接点部５４を弾性的に支持する。接点部５４は、ばね部５３により、第１コンタクト３０の接点部３７との間の接触に所望の接圧を提供され、第１コンタクトの接点部３７に接触する。
【００４１】
複数の第２コンタクト５０それぞれは、複数の第１コンタクト３０それぞれに対応して形成され、第２コネクタ４０の挿入部４３が第１コネクタ１０の挿入孔２７に挿入されると、対応する第１および第２コンタクト３０、５０は、それぞれ、電気的に接続される。
【００４２】
なお、本実施形態では、第２コネクタ４０の第２コンタクト５０の接点部５４が弾性的に支持され、第１コネクタ１０の第１コンタクト３０の固定接点部３７に所望の接圧で電気的に接触するように構成されているが、これに限定されるものではない。逆に、第１コンタクト３０の接点部３７が弾性的に支持され、第２コンタクト５０の固定接点部５４に所望の接圧で電気的に接触するように構成されてもよい。
【符号の説明】
【００４３】
１０              第１コネクタ
１１              固定ハウジング
１８              開口部
２１              浮動ハウジング
３０              第１コンタクト
３１              （第１コンタクトの）端子部
３２              （第１コンタクトの）第１連結部
３３              （第１コンタクトの）第１ばね部
３４              （第１コンタクトの）湾曲反転部
３５              （第１コンタクトの）第２ばね部
３６              （第１コンタクトの）第２連結部
３７              （第１コンタクトの）接点部
６０、７０        隔壁部材  
６１、７１        保持部
６２、６３        隔壁部
７２、７３        隔壁部
【図１】
2013045739.tif 000003
【図２】
2013045739.tif 000004
【図３】
2013045739.tif 000005
【図４】
2013045739.tif 000006
【図５】
2013045739.tif 000007
【図６】
2013045739.tif 000008